(57)【要約】【課題】インバータ式の点灯装置を用いた照明器具において、蛍光灯型ＬＥＤランプを点灯可能とする。【解決手段】電源投入後の所定期間に蛍光灯７の定格電圧よりも低い出力電圧をランプ出力端子ａ−ｃ間に印加することにより、蛍光灯型ＬＥＤランプの装着を検知する機能を有し、蛍光灯型ＬＥＤランプの装着を検知すると蛍光灯型ＬＥＤランプに適した電圧を出力し、電源投入後の所定期間に蛍光灯型ＬＥＤランプの装着を検知しなかった場合には、蛍光灯７に適した予熱・始動・点灯の動作を行う。【選択図】図１
2010140827.tif 000002
【特許請求の範囲】
【請求項１】
蛍光灯を高周波で点灯させる点灯装置であって、蛍光灯型ＬＥＤランプの装着を検知する機能を有し、蛍光灯型ＬＥＤランプの装着を検知すると蛍光灯型ＬＥＤランプに適した電圧を出力することを特徴とする点灯装置。
【請求項２】
電源投入後の所定期間に蛍光灯の定格電圧よりも低い出力電圧をランプ出力端子間に印加することにより、蛍光灯型ＬＥＤランプの装着を検知する機能を有し、前記所定期間に蛍光灯型ＬＥＤランプの装着を検知しなかった場合には、蛍光灯に適した予熱・始動・点灯の動作を行うことを特徴とする請求項１記載の点灯装置。
【請求項３】
電源投入後の所定期間にランプ出力端子間に印加される出力電圧は直流電圧であり、この直流電圧の印加によりランプ出力端子間に電流が流れたことを検出することにより、蛍光灯型ＬＥＤランプの装着を検知することを特徴とする請求項２記載の点灯装置。
【請求項４】
電源投入後の所定期間にランプ出力端子間に印加される出力電圧は高周波電圧であり、この高周波電圧の印加によりランプ出力端子間に所定以上の電流が流れたことを検出することにより、蛍光灯型ＬＥＤランプの装着を検知することを特徴とする請求項２記載の点灯装置。
【請求項５】
請求項１〜４のいずれかに記載の点灯装置を備える照明器具。
【発明の詳細な説明】
【技術分野】
【０００１】
本発明は蛍光灯または蛍光灯型ＬＥＤランプを点灯させる点灯装置及びそれを用いた照明器具に関する。
【背景技術】
【０００２】
従来、蛍光灯型ＬＥＤランプが各社から発売されている。蛍光灯型ＬＥＤランプの概観を図２に示す。また、図３に等価回路図を示す。このような蛍光灯型ＬＥＤランプは、基板上に実装した複数のＬＥＤをランプ電極間に接続したものであり、従来型の蛍光灯照明器具において、蛍光灯を装着する代わりに、蛍光灯型ＬＥＤランプを装着することで、長寿命で省電力を実現するものとして、販売されている。ただし、蛍光灯型ＬＥＤランプを装着される蛍光灯照明器具としては、インバータ式の照明器具は非適合とするものが多かった。
【０００３】
特許文献１（特開２００３−１６８５８０号公報）には、異なる種類の蛍光灯で高周波点灯回路を共用することによりコストダウンを図った点灯装置が開示されている。この特許文献１の技術では、蛍光灯のランプ電流を検出し、ランプ電流の違いから蛍光灯の種別を判別し、判別結果をもとに蛍光灯に供給する電力を制御している。しかしながら、蛍光灯と蛍光灯型ＬＥＤランプの違いを判別するものではなかった。
【特許文献１】特開２００３−１６８５８０号公報
【発明の開示】
【発明が解決しようとする課題】
【０００４】
従来の技術において、インバータ式の照明器具が蛍光灯型ＬＥＤランプに非適合とされるのは、インバータ式の照明器具において、蛍光灯の始動時にランプ出力端子間に定格点灯電圧よりも高い電圧が出力され、蛍光灯型ＬＥＤランプに過度な電圧が出力され、破壊してしまうことが原因と考えられる。
【０００５】
本発明はこのような点に鑑みてなされたものであり、インバータ式の点灯装置を用いた照明器具においても、蛍光灯型ＬＥＤランプを点灯可能とすることを課題とする。
【課題を解決するための手段】
【０００６】
請求項１の発明は、上記の課題を解決するために、蛍光灯を高周波で点灯させる点灯装置であって、蛍光灯型ＬＥＤランプの装着を検知する機能を有し、蛍光灯型ＬＥＤランプの装着を検知すると蛍光灯型ＬＥＤランプに適した電圧を出力することを特徴とするものである。
【０００７】
請求項２の発明は、請求項１の発明において、電源投入後の所定期間に蛍光灯の定格電圧よりも低い出力電圧をランプ出力端子間に印加することにより、蛍光灯型ＬＥＤランプの装着を検知する機能を有し、前記所定期間に蛍光灯型ＬＥＤランプの装着を検知しなかった場合には、蛍光灯に適した予熱・始動・点灯の動作を行うことを特徴とする。
【０００８】
請求項３の発明は、請求項２の発明において、電源投入後の所定期間にランプ出力端子間に印加される出力電圧は直流電圧であり、この直流電圧の印加によりランプ出力端子間に電流が流れたことを検出することにより、蛍光灯型ＬＥＤランプの装着を検知することを特徴とする。
【０００９】
請求項４の発明は、請求項２の発明において、電源投入後の所定期間にランプ出力端子間に印加される出力電圧は高周波電圧であり、この高周波電圧の印加によりランプ出力端子間に所定以上の電流が流れたことを検出することにより、蛍光灯型ＬＥＤランプの装着を検知することを特徴とする。
【００１０】
請求項５の発明は、請求項１〜４のいずれかに記載の点灯装置を備える照明器具である。
【発明の効果】
【００１１】
本発明によれば、蛍光灯型ＬＥＤランプの検知機能を有し、蛍光灯型ＬＥＤランプを検知すると蛍光灯型ＬＥＤランプに適した電圧を出力することにより、インバータ式の点灯装置を用いた蛍光灯照明器具において、蛍光灯だけでなく、蛍光灯型ＬＥＤランプも点灯させることが可能となる。
【発明を実施するための最良の形態】
【００１２】
（実施形態１）
図１は本発明の実施形態１の概略構成を示すブロック図である。点灯装置１は高周波電源部２と直流電源部３と負荷判定部４を備えている。高周波電源部２はランプ出力端子ａ−ｃ間に高周波電圧を出力する機能を有する。また、直流電源部３はランプ出力端子ａ−ｃ間に直流電圧を出力する機能を有する。高周波電源部２と直流電源部３は負荷判定部４の判定結果に応じて切替手段５により選択される。負荷判定部４は高周波電源部２と直流電源部３の動作／不動作並びに出力調整の機能を備えている。電源投入後の所定期間（検知期間）においては、負荷判定部４は高周波電源部２ではなく直流電源部３を選択し、ランプ出力端子ａ−ｃ間に低い直流電圧を出力する。このとき、ランプ出力端子ａ−ｃ間に電流が流れるか否かを電流検出手段６により判定することにより、ランプ出力端子ａ−ｃ間に接続されている負荷が、蛍光灯７（図１参照）であるのか、蛍光灯型ＬＥＤランプ８（図２、図３参照）であるのかを判別する機能を有している。
【００１３】
蛍光灯７は放電管の両端にフィラメントｆ１，ｆ２を備え、一方のフィラメントｆ１はランプ出力端子ａ−ｂ間に接続され、他方のフィラメントｆ２はランプ出力端子ｃ−ｄ間に接続される。
【００１４】
蛍光灯型ＬＥＤランプ８は蛍光灯７と略同形状の透光性筐体に複数個のＬＥＤと点灯回路９を収納したものであり、点灯回路９とＬＥＤの直列回路は、ダイオードＤ１１〜Ｄ１４のブリッジ回路とダイオードＤ２１〜Ｄ２４のブリッジ回路を介してランプ出力端子ａ〜ｄに接続される。点灯回路９は限流抵抗であっても良い。
【００１５】
図４に蛍光灯７と蛍光灯型ＬＥＤランプ８の装着時の点灯波形を示す。図４（ａ）は蛍光灯７が装着されている場合、（ｂ）は蛍光灯型ＬＥＤランプ８が装着されている場合である。図４（ｂ）において、破線は図４（ａ）の高周波電圧の包絡線であり、蛍光灯型ＬＥＤランプ８が装着されている場合には、蛍光灯７が装着されている場合のような高い電圧はランプに印加されないことが分かる。
【００１６】
本実施形態では、電源投入後の所定期間（検知期間）において、蛍光灯７の定格電圧より低い直流電圧をランプ出力端子ａ−ｃ間に出力し、この期間にランプの種類を判定する。蛍光灯型ＬＥＤランプ８の等価回路は図３のようであるから、蛍光灯７の定格電圧より低い直流電圧であってもランプ出力端子ａ−ｃ間に印加されると電流が流れることになる。この電流を検出した場合には、蛍光灯型ＬＥＤランプ８が装着されていると判定し、その後、ランプ出力端子ａ−ｃ間に電源投入後の所定期間よりも高い直流電圧を出力し、蛍光灯型ＬＥＤランプ８を十分な出力で点灯させる。
【００１７】
一方、蛍光灯７がランプ出力端子ａ〜ｄに接続されている場合には、定格電圧より低い直流電圧を出力しても電流は流れない。したがって、直流電圧を出力した時の電流の有無によって、ランプ種別を検知できる。
【００１８】
電源投入後の所定期間にランプ出力端子ａ−ｃ間に流れる電流を検出しなかった場合には、負荷判定部４は蛍光灯７が装着されていると判定し、切替手段５により高周波電源２を選択し、その後、蛍光灯７の点灯に必要な予熱・始動・点灯のシーケンスで動作を行う。具体的には、予熱期間では、蛍光灯７の両端に印加される電圧を始動電圧よりも低く維持しながら、両フィラメントｆ１，ｆ２に十分な予熱電流が流れるように制御し、始動期間では蛍光灯７の両端に始動電圧よりも高い電圧を印加し、点灯期間では蛍光灯７の定格電圧を印加するように制御する。
【００１９】
（実施形態２）
図５は本発明の実施形態２の回路図である。本実施形態は、実施形態１の動作を実現する具体的な回路例である。図５の点灯装置は、直流電源部１１とインバータ部１２からなる。直流電源部１１は、交流電源Ｖｓを全波整流する整流器ＤＢと、この整流器ＤＢの出力に接続されたインダクタＬ１とスイッチング素子Ｑ１とダイオードＤ１よりなる昇圧チョッパ回路と、昇圧チョッパ回路の出力を平滑する電解コンデンサＣ１よりなり、直流電圧をインバータ部１２へ供給する。インバータ部１２は、ハーフブリッジ型のインバータを構成するスイッチング素子Ｑ２，Ｑ３の直列回路からなり、スイッチング素子Ｑ３の両端に負荷回路が接続される。
【００２０】
ａ，ｂ，ｃ，ｄはランプ出力端子であり、ａ，ｃ間にランプへの点灯電圧が出力される。コンデンサＣ２は蛍光灯７が接続される場合の共振コンデンサであり、インダクタＬ２と共振回路を構成する。コンデンサＣ３は直流カット用のコンデンサである。コンデンサＣ３を直流カット用のコンデンサとして動作させるのは、ランプ出力端子ａ〜ｄに蛍光灯７が接続されている場合であり、並列接続されたスイッチング素子Ｑ５をオフすることでコンデンサＣ３は直流カット用のコンデンサとして作用する。
【００２１】
コンデンサＣ４は平滑コンデンサである。コンデンサＣ４を平滑コンデンサとして動作させるのは、ランプ出力端子に蛍光灯型ＬＥＤランプ８が接続されている場合であり、直列接続されたスイッチング素子Ｑ４をオンすることで、スイッチング素子Ｑ３の両端にインダクタＬ２とともにコンデンサＣ４が接続され、蛍光灯型ＬＥＤランプ８の各ＬＥＤを降圧チョッパ出力により点灯させる場合の出力コンデンサとして利用される。この場合には同時にスイッチング素子Ｑ５をオンして直流カット用のコンデンサＣ３を短絡することで無効化する。
【００２２】
図６に本実施形態の動作波形を示す。図６（ａ）は蛍光灯型ＬＥＤランプ８が接続されている場合、（ｂ）は蛍光灯７が接続されている場合のスイッチング素子Ｑ２，Ｑ３，Ｑ４，Ｑ５の制御信号波形を示している。
【００２３】
図６（ａ）により蛍光灯型ＬＥＤランプ８が接続されている場合の動作を説明する。電源投入後の所定期間（検知期間）においては、スイッチング素子Ｑ４，Ｑ５をオンするとともに、スイッチング素子Ｑ３をオフし、スイッチング素子Ｑ２をオン・オフ動作させることにより、降圧チョッパとして動作させる。スイッチング素子Ｑ２がオンの時、コンデンサＣ１→スイッチング素子Ｑ２→インダクタＬ２→ランプ（端子ａ→ｃ）→スイッチング素子Ｑ５→コンデンサＣ１の経路で電流が流れるとともに、コンデンサＣ１→スイッチング素子Ｑ２→インダクタＬ２→コンデンサＣ４→スイッチング素子Ｑ４→コンデンサＣ１の経路で電流が流れ、コンデンサＣ１を電源として、インダクタＬ２にエネルギーを蓄積しつつ、ランプとコンデンサＣ４に電流を流す。
【００２４】
スイッチング素子Ｑ２がオフすると、インダクタＬ２→ランプ（端子ａ→ｃ）→スイッチング素子Ｑ５→スイッチング素子Ｑ３の内蔵ダイオード→インダクタＬ２の経過で回生電流が流れるとともに、インダクタＬ２→コンデンサＣ４→スイッチング素子Ｑ４→スイッチング素子Ｑ３の内蔵ダイオード→インダクタＬ２の経路で回生電流が流れて、インダクタＬ２に蓄積されたエネルギーをランプ、コンデンサＣ４に放出する。
【００２５】
検知期間の間にランプに電流が流れることを検出すると、ランプ出力端子ａ−ｃ間に蛍光灯型ＬＥＤランプ８が接続されていると判断し、蛍光灯型ＬＥＤランプ８に適した直流電圧を出力すべく、スイッチング素子Ｑ２のオン・オフの周波数を適度に低くするように制御される。電流検出手段は図示しないが、ランプ電流が流れる経路の何処かに電流検出抵抗を挿入すれば良く、例えば、スイッチング素子Ｑ５のドレイン・ソース間抵抗による電圧降下を検出しても良い。
【００２６】
一方、蛍光灯７が接続されている場合の動作を図６（ｂ）により説明する。電源投入後の所定期間（検知期間）のスイッチング素子Ｑ２〜Ｑ５のオン・オフ状態は図６（ａ）の場合と同様である。
【００２７】
しかし、蛍光灯７の場合には、降圧チョッパの出力電圧では点灯せず、結果的にランプ出力端子（ａ→ｃ）間には電流は流れない。電源投入後の所定期間（検知期間）に電流が流れないことを検出すると、蛍光灯型ＬＥＤランプ８ではないと判断し、蛍光灯７の点灯動作を行う。
【００２８】
具体的には、スイッチング素子Ｑ４，Ｑ５をともにオフし、降圧用チョッパのコンデンサＣ４を回路から切離し、直流カット用のコンデンサＣ３をランプ出力端子に直列に接続された状態にする。また、スイッチング素子Ｑ３をスイッチング素子Ｑ２と相補的にオン・オフする動作を開始して高周波出力電圧をランプ出力端子ａ−ｃ間に出力する。スイッチング素子Ｑ２，Ｑ３のスイッチング周波数を予熱・始動・点灯の各期間で適宜低下させて、ランプ出力端子ａ−ｃ間に適切な高周波電圧を出力し、蛍光灯７を点灯に至らしめることができる。
【００２９】
本実施形態は、ハーフブリッジインバータを構成するスイッチング素子Ｑ２，Ｑ３のうち、一方のみをオン・オフする期間を設けることで降圧チョッパとして動作させ、ランプ出力端子ａ−ｃ間に直流電圧を出力可能としたので、インバータのスイッチング素子Ｑ２やインダクタＬ２を降圧チョッパの構成要素と兼用することができ、コスト低減が可能となる。
【００３０】
（実施形態３）
図７は本発明の実施形態３の回路図である。本実施形態は、実施形態１の動作を実現する他の具体例である。図７の点灯装置は、直流電源部１１とインバータ部１２からなる。直流電源部１１は、図５と同様の構成であり、直流電圧をインバータ部１２へ供給する。インバータ部１２は、スイッチング素子Ｑ２，Ｑ３の直列回路とスイッチング素子Ｑ６，Ｑ５の直列回路を並列接続してなるフルブリッジ型のインバータからなる。コンデンサＣ４とスイッチング素子Ｑ４の直列回路がインダクタＬ２を介してスイッチング素子Ｑ３の両端に接続され、スイッチング素子Ｑ４をオンすることでコンデンサＣ４は降圧チョッパの出力コンデンサとして動作させることができる。
【００３１】
図８に本実施形態の動作波形を示す。図８（ａ）は蛍光灯型ＬＥＤランプ８が接続されている場合、（ｂ）は蛍光灯７が接続されている場合のスイッチング素子Ｑ２，Ｑ３，Ｑ４，Ｑ５，Ｑ６の制御信号波形を示している。
【００３２】
まず、図８（ａ）により蛍光灯型ＬＥＤランプ８が接続されている場合の動作を説明する。電源投入後の所定期間（検知期間）においては、スイッチング素子Ｑ５，Ｑ４がオン、スイッチング素子Ｑ３，Ｑ６がオフし、スイッチング素子Ｑ２がオン・オフ動作する。コンデンサＣ４とランプ（ａ→ｃ）は降圧チョッパの出力電圧により、一定電圧を印加されて、蛍光灯型ＬＥＤランプ８には電流が流れる。電源投入後の所定期間（検知期間）に電流が流れることを検出することで、蛍光灯型ＬＥＤランプ８が接続されているものと判断し、検知期間の終了後に蛍光灯型ＬＥＤランプ８に適した電圧を出力するため、スイッチング素子Ｑ２のオン・オフ周波数を適度に低下させる。
【００３３】
次に、蛍光灯７が接続されている場合の動作を図８（ｂ）により説明する。電源投入後の所定期間（検知期間）のスイッチング素子Ｑ２〜Ｑ６のオン・オフ状態は図８（ａ）の場合と同様である。しかし、蛍光灯７の場合には、降圧チョッパの出力電圧では点灯せず、結果的にランプ出力端子（ａ→ｃ）間には電流は流れない。電源投入後の所定期間（検知期間）に電流が流れないことを検出すると、蛍光灯型ＬＥＤランプ８ではないと判断し、蛍光灯７の点灯動作を行う。
【００３４】
本実施形態では、スイッチング素子Ｑ２とＱ５が同期してオン・オフし、スイッチング素子Ｑ３とＱ６は同期して、スイッチング素子Ｑ２と反転した位相でオン・オフすることで、フルブリッジインバータとして動作する。このとき、スイッチング素子Ｑ４はオフすることでコンデンサＣ４を負荷回路から切離す。
【００３５】
（実施形態４）
図９は本発明の実施形態４の回路図である。本実施形態は、実施形態１の動作を実現するさらに他の具体例である。図９の点灯装置は、直流電源部１１とインバータ部１２からなる。直流電源部１１は、図４と同様の構成であり、直流電圧をインバータ部１２へ供給する。インバータ部１２はスイッチング素子Ｑ２，Ｑ３の直列回路と、スイッチング素子Ｑ２，Ｑ３の接続点に接続される直流カット用コンデンサＣ３と、共振および限流用のインダクタＬ２を有し、直流電源部１１の＋端子ａとインダクタＬ２の端子ｃをランプ出力端子とし、ランプの非電源側出力端子ｂ−ｄ間には共振コンデンサＣ２を接続している。負荷が蛍光灯７（図１参照）である場合、端子ａ−ｂ間と端子ｃ−ｄ間にフィラメントｆ１，ｆ２がそれぞれ接続される。以上の構成は、通常のコンデンサ予熱式のハーフブリッジインバータの構成と同様である。
【００３６】
本実施形態では更に、インダクタＬ２の端子ｃと直流電源部１１の−端子との間にダイオードＤ４とスイッチング素子Ｑ４の直列回路を設けている。スイッチング素子Ｑ４をオンすることでランプ出力端子（ａ→ｃ）はコンデンサＣ１の両端に接続されて、直流電圧が出力されることになる。電流検出手段は図示しないが、ランプ電流が流れる経路の何処かに電流検出抵抗を挿入すれば良く、例えば、スイッチング素子Ｑ４としてのバイポーラトランジスタを不飽和領域でＯＮさせて、そのコレクタ・エミッタ間電圧を検出しても良い。
【００３７】
図１０に本実施形態の動作波形を示す。図９（ａ）は蛍光灯型ＬＥＤランプ８が接続されている場合、（ｂ）は蛍光灯７が接続されている場合のスイッチング素子Ｑ２，Ｑ３，Ｑ４の制御信号波形を示している。
【００３８】
まず、図１０（ａ）により蛍光灯型ＬＥＤランプ８が接続されている場合の動作を説明する。電源投入後の所定期間（検知期間）においては、スイッチング素子Ｑ４のみがオンとなり、スイッチング素子Ｑ２，Ｑ３はオフする。これにより、ランプ端子（ａ→ｃ）にはコンデンサＣ１に発生している直流電圧が出力される。この直流電圧によりランプ出力端子には電流が流れるので、蛍光灯型ＬＥＤランプ８が接続されていると検出することができる。この場合において、直流電源部１１の昇圧チョッパは蛍光灯７の動作時よりも低い電圧を出力する方が良い。なぜなら、通常の昇圧チョッパの出力電圧は、商用交流電圧の２倍程度（実効値）となるので、蛍光灯型ＬＥＤランプ７に対して過剰な電圧となる場合があるからである。或いは、電源投入後の所定期間（検知期間）とそれに続く蛍光灯型ＬＥＤランプ８と検出した場合の動作に限っては昇圧チョッパを停止しても良い。
【００３９】
次に、蛍光灯７が接続されている場合の動作を図１０（ｂ）により説明する。電源投入後の所定期間（検知期間）のスイッチング素子Ｑ２〜Ｑ４のオン・オフ状態は図１０（ａ）の場合と同様である。しかし、蛍光灯７の場合には、コンデンサＣ１の直流電圧では点灯せず、結果的にランプ出力端子（ａ→ｃ）間には電流は流れない。検知期間の終了後、スイッチング素子Ｑ４をオフしてランプ出力端子ｃをコンデンサＣ１から切離し、スイッチング素子Ｑ２，Ｑ３を交互にオン・オフするハーフブリッジインバータ動作により、ランプ出力端子ａ−ｃに高周波電圧を出力して、予熱・始動・点灯の各動作を行う。
【００４０】
具体的には、予熱時にはインダクタＬ２とコンデンサＣ２の無負荷共振周波数よりも十分に高い周波数でスイッチング素子Ｑ２，Ｑ３を交互にオン・オフすることにより、ランプ出力端子ａ−ｃ間に蛍光灯７の始動電圧よりも低い高周波電圧を出力する。これにより、一対のフィラメントｆ１，ｆ２（図１参照）とコンデンサＣ２を介して予熱電流が流れて、熱電子放出可能な状態となる。次に、始動時にはインダクタＬ２とコンデンサＣ２の無負荷共振周波数に近い周波数でスイッチング素子Ｑ２，Ｑ３を交互にオン・オフすることにより、ランプ出力端子ａ−ｃ間に蛍光灯７の始動電圧よりも高い高周波電圧を出力する。これにより、蛍光灯７は始動する。その後、点灯時にはインダクタＬ２とコンデンサＣ２と蛍光灯７の負荷インピーダンスに応じた点灯時共振周波数よりも高い適切な周波数（遅相モード）でスイッチング素子Ｑ２，Ｑ３を交互にオン・オフすることにより、ランプ出力端子ａ−ｃ間に蛍光灯７の定格電圧に相当する高周波電圧を出力する。これにより、蛍光灯７を正常に定格点灯させることができる。この予熱・始動・点灯の各動作は他の実施形態についても同様である。
【００４１】
（実施形態５）
図１１は本発明の実施形態５の回路図である。本実施形態では、通常のハーフブリッジインバータの構成であり、電源投入後の所定期間（検知期間）にランプ出力端子ａ−ｃ間に直流電圧を印加する構成でなく、インバータ動作の出力電圧を低い電圧（例えば、予熱時よりも低い高周波電圧）とする。
【００４２】
図１２に本実施形態の動作波形を示す。図１２は蛍光灯型ＬＥＤランプ８が接続されている場合のランプ出力端子ａ−ｃ間に印加される電圧波形を示している。
【００４３】
本構成では、蛍光灯７（図１参照）が接続された場合にも、端子ａ→フィラメントｆ１→端子ｂ→共振コンデンサＣ２→端子ｃ→フィラメントｆ２→端子ｄの経路で電流が流れる。但し、検知期間に出力される電圧は予熱状態の出力電圧よりも低い電圧であるので、上記の経路で流れる電流も小さなものとなる。
【００４４】
一方、蛍光灯型ＬＥＤランプ８が接続された場合には、電流はランプ出力端子（ａ→ｃ）から蛍光灯型ＬＥＤランプ８に直接流れるから、蛍光灯７の場合に比べると大きな電流となる。この電流値の大きさの違いにより、蛍光灯７であるのか、蛍光灯型ＬＥＤランプ８であるのかを判別することが可能である。
【００４５】
蛍光灯型ＬＥＤランプ８と判断された場合には、図１２に示すように、蛍光灯型ＬＥＤランプ８に適した交流電圧を出力するようにインバータ部１２のスイッチング周波数を変化させる。一方、蛍光灯７が接続されていると判断された場合には、予熱・始動・点灯の通常のインバータ動作を行う。
【００４６】
（実施形態６）
実施形態１〜５の放電灯点灯装置を搭載された照明器具の外観を図１３に例示する。照明器具３０は、実施形態１〜５のいずれかに記載の点灯装置を組み込んだ器具本体３１と、点灯装置とランプＦＬを電気的に接続するための一対のソケット３２とを備え、ソケット３２にはランプＦＬの電極が着脱自由に装着される。ランプＦＬは、蛍光灯７（図１参照）または蛍光灯型ＬＥＤランプ８（図２、図３参照）のいずれでも使用可能である。ここでは、蛍光ランプとして直管型の蛍光ランプを例示したが、丸型蛍光ランプの点灯装置に本発明を適用しても構わない。
【図面の簡単な説明】
【００４７】
【図１】本発明の実施形態１の構成を示すブロック回路図である。
【図２】本発明に用いる蛍光灯型ＬＥＤランプの概略構成を示す斜視図である。
【図３】本発明に用いる蛍光灯型ＬＥＤランプの内部構成を示す回路図である。
【図４】本発明の実施形態１の動作説明のための波形図である。
【図５】本発明の実施形態２の構成を示す回路図である。
【図６】本発明の実施形態２の動作説明のための波形図である。
【図７】本発明の実施形態３の構成を示す回路図である。
【図８】本発明の実施形態３の動作説明のための波形図である。
【図９】本発明の実施形態４の構成を示す回路図である。
【図１０】本発明の実施形態４の動作説明のための波形図である。
【図１１】本発明の実施形態５の構成を示す回路図である。
【図１２】本発明の実施形態５の動作説明のための波形図である。
【図１３】本発明の実施形態６の照明器具の外観を示す斜視図である。
【符号の説明】
【００４８】
１  点灯装置
２  高周波電源部
３  直流電源部
４  負荷判定部
５  切替手段
６  電流検出手段
【図１】
2010140827.tif 000003
【図２】
2010140827.tif 000004
【図３】
2010140827.tif 000005
【図４】
2010140827.tif 000006
【図５】
2010140827.tif 000007
【図６】
2010140827.tif 000008
【図７】
2010140827.tif 000009
【図８】
2010140827.tif 000010
【図９】
2010140827.tif 000011
【図１０】
2010140827.tif 000012
【図１１】
2010140827.tif 000013
【図１２】
2010140827.tif 000014
【図１３】
2010140827.tif 000015